【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
加温加湿されたガス流を提供するように構成される呼吸補助装置であって、
ガス供給を受け取るように構成されるガス入口と、
前記ガス供給から加圧ガス流を生成するように構成されるブロワユニットと、
前記加圧ガス流を加温加湿するように構成される加湿ユニットと、
前記加温加湿されたガス流のガス流出口と、
前記ガス入口から前記ブロワユニット及び前記加湿ユニットを通して前記ガス出口に前記呼吸補助装置を通る前記ガス流の流路と、
前記流路内において、前記加湿ユニットの前に設けられるセンサ組立体であって、前記ガス流内の１つ又は複数のガス濃度を検知する超音波ガス組成センサシステムを備えるセンサ組立体と、を備えている、
ことを特徴とする呼吸補助装置。
【請求項２】
前記超音波ガス組成センサシステムは送信器と受信器との送受信器対を備え、前記送受信器対は、前記送信器から前記受信器に、前記ガス流を通してクロスフロー音響パルスを送信して、前記センサ組立体の近傍での前記ガス流内での音速を検知するように動作可能である、
請求項１に記載の呼吸補助装置。
【請求項３】
前記送信器と受信器との送受信器対は、前記音響パルスが、前記ガス流の流れる方向に略直交する方向において前記ガス流を移動するように配置される、または、
前記送信器と受信器との送受信器対は、前記音響パルスが、前記ガス流の流れる方向に対して傾斜するが、直交はしないクロスフローで前記ガス流を移動するように配置されている、
請求項２に記載の呼吸補助装置。
【請求項４】
前記送信器と受信器との送受信器対は、送信器として構成されるトランスデューサと、受信器として構成されるトランスデューサを備え、単方向音響パルスを送信する、または、
前記送信器と受信器との送受信器対は、双方向音響パルスを送信するように構成されている一対の送信器−受信器トランスデューサを備えている、
請求項２または３に記載の呼吸補助装置。
【請求項５】
前記送信器トランスデューサと受信器トランスデューサとの対は、クロスフロー音響パルスを送信し、エコーリターンパルスを受信するように構成される単一の送信器−受信器の形態である、
請求項２または３に記載の呼吸補助装置。
【請求項６】
前記超音波ガス組成センサシステムは、前記送信器から前記受信器に、前記ガス流を通して流れに沿った音響パルスを送信して、前記センサ組立体の近傍での前記ガス流内での音速を検知するように動作可能な送信器トランスデューサと受信器トランスデューサとの対を備えている、
請求項２に記載の呼吸補助装置。
【請求項７】
前記超音波ガス組成センサシステムの前記送信器トランスデューサと受信器トランスデューサとの対に動作可能に接続され、前記ガス流を通る音速を検知し、前記音速を示す音速信号を生成するように前記トランスデューサ対を動作させるように構成されるセンサ制御システムを更に備えている、
請求項２ないし６のいずれか１項に記載の呼吸補助装置。
【請求項８】
前記センサ制御システムは、少なくとも、前記ガス流を通る前記音速を示す前記信号に基づいて、前記ガス流内の前記ガス濃度を示す１又は２以上のガス濃度信号を生成するように構成されている、
請求項７に記載の呼吸補助装置。
【請求項９】
前記センサ組立体は温度センサを更に備え、前記温度センサは、前記センサ組立体の近傍での前記ガス流の温度を測定し、代表的な温度信号を生成するように構成され、前記センサ制御システムは、前記音速信号及び前記温度信号に基づいて、前記ガス流内の前記ガス濃度を示す１又は２以上のガス濃度信号を生成するように構成されている、
請求項７又は８に記載の呼吸補助装置。
【請求項１０】
前記センサ組立体は湿度センサを更に備え、前記湿度センサは、前記センサ組立体の近傍での前記ガス流内の湿度を測定し、代表的な湿度信号を生成するように構成され、前記センサ制御システムは、前記音速信号及び前記湿度信号に基づいて、前記ガス流内の前記ガス濃度を示す１又は２以上のガス濃度信号を生成するように構成されている、
請求項７又は８に記載の呼吸補助装置。
【請求項１１】
前記センサ組立体は、前記センサ組立体の近傍での前記ガス流の温度を測定し、代表的な温度センサを生成するように構成される温度センサと、前記センサ組立体の近傍での前記ガス流内の湿度を測定し、代表的な湿度信号を生成するように構成される湿度センサとを更に備え、前記センサ制御システムは、前記音速信号、前記温度信号、及び前記湿度信号に基づいて、前記ガス流内の前記ガス濃度を示す１又は２以上のガス濃度信号を生成するように構成されている、
請求項７又は８に記載の呼吸補助装置。
【請求項１２】
前記センサ制御システムは、前記温度信号に温度補正を行い、前記温度センサに影響する、前記呼吸装置内の熱によって生じる予測温度検知誤差を補償するように構成されている、
請求項９または１１に記載の呼吸補助装置。
【請求項１３】
前記センサ組立体は、流量センサを更に備え、該流量センサは、前記センサ組立体の近傍の前記ガス流の流量を検知し、代表的な流量信号を生成するように構成され、
前記システムは、前記ブロワユニットのモータ速度を検知し、代表的なモータ速度信号を生成するように構成されるように設けられたモータ速度センサを更に備え、
前記温度補正は、少なくとも、前記流量信号及び／又は前記モータ速度信号に基づいて前記センサ制御システムによって計算される、
請求項１２に記載の呼吸補助装置。
【請求項１４】
前記センサ制御システムは、前記ガス流内の検出された前記酸素濃度を表すガス濃度信号を生成するように構成されている、
請求項７ないし１３のいずれか１項に記載の呼吸補助装置。
【請求項１５】
前記装置は、出力ディスプレイをさらに備え、該出力ディスプレイが、前記ガス流内の検出された酸素濃度を表示するように構成され、
前記装置が、ユーザが前記呼吸装置に接続された中央気体源からの酸素供給の流量を手動で制御できるように構成され、これによって、前記表示された酸素濃度からのリアルタイムフィードバックに基づいて前記酸素濃度を変化させるように構成されている、
請求項１４に記載の呼吸補助装置。
【請求項１６】
前記センサ組立体が、前記流路に着脱自在に取付けられている、
請求項１ないし１５のいずれか１項に記載の呼吸補助装置。
【請求項１７】
前記流路が、少なくともその一区画または一部において、前記ガス流の安定した流れを促進する形状を有している、あるいは、前記ガス流の安定した流れを促進するように構成されている、
請求項１ないし１６のいずれか１項に記載の呼吸補助装置。
【請求項１８】
前記流路が、前記センサ組立体が設けられている区画または部分において、前記ガス流の安定した流れを促進する形状を有している、あるいは、前記ガス流の安定した流れを促進するように構成されている、
請求項１７に記載の呼吸補助装置。
【請求項１９】
前記流路が、前記ガス入口において、又は、前記ブロワユニットに対して前記ガス入口に向かう１つ又は２以上のフローディレクタを備え、
前記各フローディレクタが弓形フィンの形状を有している、
請求項１７または１８に記載の呼吸補助装置。
【請求項２０】
前記流路が、前記ガス流の安定した流れを促進する少なくとも１つの螺旋部分を備え、
前記センサ組立体は、前記流路の少なくとも前記螺旋部分に配置されている、
請求項１７ないし１９のいずれか１項に記載の呼吸補助装置。
【請求項２１】
前記流路が前記ガス入口と前記ブロアユニットとの間に延びる流入セクションを有し、
前記流入セクションが、前記センサ組立体が設けられた少なくとも１つの螺旋部分を備えている、
請求項２０に記載の呼吸補助装置。
【請求項２２】
前記螺旋部分が、１又は２以上の実質的な直線セクションを備え、
前記センサ組立体は前記直線セクションのうちの１つに配置されている、
請求項２０または２１に記載の呼吸補助装置。
【請求項２３】
前記センサ組立体は、本体を有するセンサ筐体を備え、
前記本体は、中空であり、第１の開放端部と第２の開放端部との間に延びる周壁によって画定され、それにより、前記本体内において壁の間に検知通路を画定し、前記検知通路を通って、前記ガス流が、前記本体の第１の端部と第２の端部との間に延びる流軸の方向に流れることができ、
前記送信器トランスデューサと受信器トランスデューサとの対は、前記検知通路の対向する壁又は側に配置されている、
請求項２ないし２２のいずれか１項に記載の呼吸補助装置。
【請求項２４】
前記センサ筐体が、
２つの離間された側壁と、側壁の間に延びる上壁及び下壁とを備えて、本体に沿って、第１の端部と第２の端部との間に検知通路を画定する本体と、
本体の対向する壁に配置される一対のトランスデューサ搭載組立体であって、それぞれが、トランスデューサ対の各トランスデューサが、前記本体の検知通路をはさんで、整列され互いに対向するよう、トランスデューサ対の各トランスデューサを受けて保持するように構成されている一対のトランスデューサ搭載組立体と、を備えている、
請求項２３に記載の呼吸補助装置。
【請求項２５】
前記センサ組立体が、前記流路のブロワユニットの前に設けられている、
請求項１ないし２４のいずれか１項に記載の呼吸補助装置。